(57)【特許請求の範囲】
【請求項１】
開口を有するボックスと、該ボックスの開口を開閉自在なるように前記ボックスに配されてなるリッドと、前記ボックスの開口端を覆ってなるフィニッシャと、該フィニッシャの開口側に配されてなる照明手段とよりなり、
前記リッドを閉成すると、該リッドの閉成作動に連動して、前記フィニッシャと前記リッドとの隙間からの照明が可能なる位置に前記照明手段の光源が移動し、
前記リッドを開成すると、該リッドの開成作動に連動して、前記ボックス内を直接に照明が可能なる位置に前記照明手段の光源が移動することを特徴とする乗り物用物入れ装置。
【請求項２】
請求項１記載の乗り物用物入れ装置であって、
前記照明手段は、前記ボックスに回転自在に軸支されてなる軸支ピンと、前記リッドが閉成した状態で前記軸支ピンより前記ボックス側に略水平に張り出された光源保持部材と、前記リッドが閉成した状態で上側に照射可能に前記光源保持部材に保持してなる光源と、前記リッドが閉成した状態で前記リッドにより押圧可能なるよう前記軸支ピンより前記光源保持部材の反対側に張り出されてなるアームと、前記リッドが閉成した状態で前記光源に対向した位置に導入光部を有し且つ前記フィニッシャに沿って配されると共に適宜発光を可能とした導光部材と、前記光源保持部材を前記ボックスの収納部側に向けるように前記軸支ピンを付勢してなる付勢手段とより少なくとも構成されてなることを特徴とする乗り物用物入れ装置。
【発明の詳細な説明】
【技術分野】
【０００１】
本発明は、自動車や鉄道、航空機、船舶などの乗り物用物入れ装置に関するものである。
【背景技術】
【０００２】
従来の乗り物、特に自動車用物入れ装置としては、中空状に形成されてなる小物収納用のボックスと、該ボックスの開口を開閉可能なるリッドとよりなり、該ボックスの開口に臨むように照明手段を設けて、ボックス内を照明可能としている（先行技術文献。）ものが、従来技術として知られている。
【先行技術文献】
【特許文献】
【０００３】
【特許文献１】特開２００３−０２０８５１号公報
【発明の概要】
【発明が解決しようとする課題】
【０００４】
しかしながら、従来技術は、リッドを開いたときにのみ、ボックス内を照らす直接照明であり、夜間リッドを閉じている時には、ボックスの位置すらも分かりにくく、手探り状態である、という課題がある。
【０００５】
上記の課題を解決するために、本発明は、リッドがボックスの開口を閉成している状態では、ボックスの位置を知らしめる間接照明が可能であり、リッドがボックスの開口を開成している状態では、ボックス内を照らす直接照明が可能である乗り物用物入れ装置を提供するものである。
【課題を解決するための手段】
【０００６】
上記の課題を解決するために、本発明の請求項１記載の乗り物用物入れ装置は、開口を有するボックスと、該ボックスの開口を開閉自在なるように前記ボックスに配されてなるリッドと、前記ボックスの開口端を覆ってなるフィニッシャと、該フィニッシャの開口側に配されてなる照明手段とよりなり、
前記リッドを閉成すると、該リッドの閉成作動に連動して、前記フィニッシャと前記リッドとの隙間からの照明が可能なる位置に前記照明手段の光源が移動し、
前記リッドを開成すると、該リッドの開成作動に連動して、前記ボックス内を直接に照明が可能なる位置に前記照明手段の光源が移動することを特徴とする開口を有するボックスと、該ボックスの開口を開閉自在なるように前記ボックスに配されてなるリッドと、前記ボックスの開口端を覆ってなるフィニッシャと、該フィニッシャの開口側に配されてなる照明手段とよりなり、前記リッドを閉成すると、該リッドの閉成作動に連動して、前記フィニッシャと前記リッドとの隙間からの照明が可能なる位置に前記照明手段の光源が移動し、前記リッドを開成すると、該リッドの開成作動に連動して、前記ボックス内を直接に照明が可能なる位置に前記照明手段の光源が移動することを特徴とする。
【０００７】
また、本発明の請求項２記載の乗り物用物入れ装置は、請求項１記載の前記照明手段は、前記ボックスに回転自在に軸支されてなる軸支ピンと、前記リッドが閉成した状態で前記軸支ピンより前記ボックス側に略水平に張り出された光源保持部材と、前記リッドが閉成した状態で上側に照射可能に前記光源保持部材に保持してなる光源と、前記リッドが閉成した状態で前記リッドにより押圧可能なるよう前記軸支ピンより前記光源保持部材の反対側に張り出されてなるアームと、前記リッドが閉成した状態で前記光源に対向した位置に導入光部を有し且つ前記フィニッシャに沿って配されると共に適宜発光を可能とした導光部材と、前記光源保持部材を前記ボックスの収納部側に向けるように前記軸支ピンを付勢してなる付勢手段とより少なくとも構成されてなることを特徴とする。
【発明の効果】
【０００８】
本発明は、請求項１記載の発明によれば、夜間など照明を点灯しなければ見えない暗がりにおいて、前記リッドを閉成すると、該リッドの閉成作動に連動して前記照明手段の光源が、前記フィニッシャと前記リッドとの隙間からの照明が可能なる位置に移動するため、前記リッドが閉成しているにも拘わらず、前記フィニッシャと前記リッドとの隙間からの間接照明により、ボックスの位置が明瞭に判別可能であり、しかも、豪華なイメージを与えることができる、という効果を奏する。また、同じような暗がりにおいて、前記リッドが開成すると、該リッドの開成作動に連動して、前記照明手段の光源が、前記ボックス内を直接に照明が可能なる位置に移動するため、前記ボックス内に収納してある小物が直接照明されて、小物の違いが明瞭に分かるし、小物を収納する際のボックスの位置が明瞭に分かることになる、という効果を奏する。
【０００９】
また、本発明は、請求項２記載の発明によれば、前記リッドを開成するだけで、前記付勢手段により、前記照明手段は、前記ボックス内を直接に照明することができる位置に移動して、すぐにボックス内を明るく照明することが出来る。また、前記リッドを閉じると、アームが付勢手段に抗して移動されることで、前記光源の光源保持部材が導光部材に近接して光源の光を導光部材に導くように構成されてなるため、前記導光部材からの間接照明が可能となる、という効果を奏する。
【図面の簡単な説明】
【００１０】
【図１】本発明の実施例１に係るリッドを閉じた状態における乗り物用物入れ装置を前側より示す斜視図。
【図２】図１の物入れ装置の分解斜視図。
【図３】図１のＳＡ−ＳＡ線に沿った断面図。
【図４】図１のＳＢ−ＳＢ線に沿った照明手段を示す断面図。
【図５】図４のリッドを開成した状態における照明手段の位置を示す断面図。
【発明を実施するための形態】
【００１１】
以下、本発明の実施の形態について、詳細に説明する。本発明において、夜間など照明を点灯しなければ見えない暗がりにおいて、リッドがボックスの開口を閉成している状態では、ボックスの位置を知らしめる間接照明が可能であり、リッドがボックスの開口を開成している状態では、ボックス内を照らす直接照明が可能である乗り物用物入れ装置を提供するという目的を、開口を有するボックスと、該ボックスの開口を開閉自在なるように前記ボックスに配されてなるリッドと、前記ボックスの開口端を覆ってなるフィニッシャと、該フィニッシャの開口側に配されてなる照明手段とよりなり、前記リッドを閉成すると、該リッドの閉成作動に連動して、前記フィニッシャと前記リッドとの隙間からの照明が可能なる位置に前記照明手段の光源が移動し、前記リッドを開成すると、該リッドの開成作動に連動して、前記ボックス内を直接に照明が可能なる位置に前記照明手段の光源が移動することで、実現した。以下、本発明の実施例を図面に基づいて説明する。
【実施例１】
【００１２】
本発明の実施例１に係る構造を、図１〜図５を用いて説明する。この実施例１の自動車用物入れ装置１は、前後関係では、図示しないインストルメントパネルの後ろ側に配され、上下関係では、図示しない床の上に配され、左右関係では、図示しない座席と座席との間に配されているもので、前記座席に着座する乗員の小物、例えばＣＤ、ＭＤなどの音響機器やティッシュ、チケットなどの一時保管場所として供されるものである。
【００１３】
前記自動車用物入れ装置１は、中空状に形成されてなるボックス２と、該ボックス２の開口端を覆うフィニッシャ５と、該フィニッシャ５の開口５１を開閉自在となるように配されてなるリッド３とよりなる。図１及び図２における自動車用物入れ装置１の左下側及び図４及び図５の左側が自動車の前側方向、図１及び図２における自動車用物入れ装置１の右上側が自動車の後ろ側方向、図１及び図２における自動車用物入れ装置１の左上側、図３における自動車用物入れ装置１の左側が自動車の右側方向、図１及び図２における自動車用物入れ装置１の右下側、図３における自動車用物入れ装置１の右側が自動車の左側方向をそれぞれ意味する。
【００１４】
前記ボックス２は、右側部材６と、左側部材７とより左右対称で二分割に形成されてなり、右側部材６及び左側部材７の前後端部に形成されてなるフランジ６２，７２を、図１に示すように、合わせて固定することで、箱状に形成されてなる。前記右側部材６及び左側部材７は、前記したように、左右対称であるから、前後に長尺な側面部６１，７１の内側には、導光部材４を載置可能なる棚部６３，７３と、該棚部６３，７３の下側に形成されてなる水平溝部６４，７４と、該水平溝部６４，７４の後端部から右側部材６及び左側部材７の底部に連続形成されてなるガイド溝部６５，７５と、前記右側部材６及び左側部材７の底部に立設されて小物類から保護可能なるように前記右側部材６及び左側部材７を前後に分割する隔壁６６，７６と、前記側面部６１，７１の前端部に同軸状に貫通されてなる丸孔６７，７７とよりなる。
【００１５】
前記リッド３は、前記フィニッシャ５の開口５１を開閉自在となる大きさに形成されてなるリッド本体３１と、該リッド本体３１が前記水平溝部６４，７４及び前記ガイド溝部６５，７５に係合してスライド自在なるように前記リッド本体３１より左右に張り出し形成されてなるレール部３３，３３と、前記リッド本体３１及びレール部３３，３３が前記水平溝部６４，７４及び前記ガイド溝部６５，７５にスムーズにスライド可能なるように曲折可能なる曲折可能蛇腹部３２，３４と、前記リッド本体３１の左右の前端部から、あたかも牛の角のように突出すると共に斜面状に形成されてなる押圧部３５，３５と、前記リッド本体３１の前端部に凹設してなる取っ手部３６とよりなる。符号３７は、レール部３３，３３の強度を向上するために配されたリブである。
【００１６】
前記導光部材４は、前記棚部６３，７３の上に載置されて前後方向に延在されてなる発光部４ａ、４ｂと、該発光部４ａ、４ｂが前端部で収束されてなる導入光部４ｃとよりなり、光を導く材料にて形成されてなる。該導光部材４は、前記フィニッシャ５の裏面側に、支持手段１３により固設されてなる。前記発光部４ａ、４ｂは、光ファイバーのように、適宜のカット面を形成することで、後述する光源１０からの光を発光可能としている。前記発光部４ａ、４ｂの後端部には、鏡面が配されて、減衰した後述する光源１０からの光を増大するような工夫を設けていても良い。
【００１７】
前記フィニッシャ５は、前記開口５１を囲む無端的の平面部材５３と、図３に示すように、導光部材４を覆う前記平面部材５３から前記開口５１側に垂下されてなる縦壁５２とよりなる。縦壁５２の外側には、図３に示すように、導光部材４の光が漏れないように、別の縦壁を設けても良いが、前記側面部６１，７１の上端部で兼用しても良い。
【００１８】
前記丸孔６７，７７には、軸支ピン８が回転自在に軸支されてなる。該軸支ピン８には、光源保持部材９ａと、アーム９ｂとが張り出され、前記光源保持部材９ａには、光源１０が保持されてなる。
【００１９】
より詳細に説明すると、前記光源保持部材９ａは、前記リッド３が閉成した状態、即ち、前記リッド３の押圧部３５，３５が、図４に示すように、アーム９ｂを押し込むことで、軸支ピン８より前記光源保持部材９ａがボックス２側に略水平状に張り出されることで、前記光源１０が上側を向いて、照射可能に前記光源保持部材９ａに保持してなる。つまり、前記アーム９ｂは、前記リッド３が閉成した状態で前記リッド３により押圧可能なるよう前記軸支ピン８より前記光源保持部材９ａの反対側に張り出されてなる。そして、前記リッド３が閉成した状態で、前記光源１０に対向した位置に前記導入光部４ｃを有し且つ前記フィニッシャ５に沿って配されると共に適宜発光を可能とした導光部材４と、前記光源保持部材９ａを前記ボックス２の収納部１２側に向けるように前記軸支ピン８を付勢してなる付勢手段１１とより構成されてなる。符号１０ａ，１０ｂは、光源１０に接続したハーネスであり、図示しないライティングスイッチに接続されている。
【００２０】
前記リッド３は、前記フィニッシャ５の開口５１を覆い、前記リッド３が図５に示す開成する（図５は開成の途中図）とき、該リッド３は、ガイド溝部６５，７５により、取っ手部３６を除いてそのほとんどが前記ボックス２内に収納されるように、前記リッド３は形成されてなる。
【００２１】
次に、この実施例１の作用を説明する。
【００２２】
夜間など照明を点灯しなければ見えない暗がりにおいて、前記リッド３を閉成すると、図４に示すように、該リッド３の閉成作動に連動して前記光源１０からの光Ｌｓが、前記フィニッシャ５の下端部５４と前記リッド３の表面との隙間からの間接的な照明が可能なる位置に移動するので、前記リッド３が閉成しているにも拘わらず、前記フィニッシャ５の下端部５４と前記リッド３の表面との隙間からの間接照明Ｌｓにより、ボックス２の位置が明瞭に判別可能である。しかも、豪華なイメージを与えることができる、という効果を奏する。リッド３の閉成と開成とについては、厳密な閉じ状態、開き状態だけではなく、若干開いた状態、閉じた状態も権利として含むのである。
【００２３】
また、同じような暗がりにおいて、前記リッド３を開成するだけで、図５に示すように、前記付勢手段１１により、該リッド３の開成作動に連動して前記光源１０は、前記ボックス２内を直接に照明が可能なる位置に移動して、すぐにボックス２内を明るく照らすことが出来る。また、前記リッド３を閉じると、アーム９ｂが付勢手段１１に抗して移動されることで、前記光源１０の光源保持部材９ａが導入光部４ｃに近接して光源１０の光ＬＬを導光部材４に導くように構成されてなるため、前記導光部材４からの間接照明が可能となる、という効果を奏する。
【産業上の利用可能性】
【００２４】
本発明は、以上の実施例では、自動車用物入れ装置１を例にして説明したが、自動車用だけでなく、航空機、船舶、鉄道などあらゆる乗り物の物入れ装置に適用されるものである。
【００２５】
本発明は、以上の実施例では、自動車用物入れ装置１は、前後関係では、図示しないインストルメントパネルの後ろ側に配され、上下関係では、図示しない床の上に配され、左右関係では、図示しない座席と座席との間に配されているものとして説明したが、こうしたレイアウトに限定されるものではなく、座席に組み込まれたものでも、天井に組み込まれたものでも、左右何れかの、或いは左右双方の壁に組み込まれたものでも、床に組み込まれたものでも、良い。
【００２６】
本発明は、以上の実施例では、リッド本体３１が前記水平溝部６４，７４及び前記ガイド溝部６５，７５に係合してスライド自在なるものとして説明したが、スライドに限らず、開閉など、ボックスの開口を開閉するものでも、良い。
【符号の説明】
【００２７】
１  自動車用物入れ装置
２  ボックス
３  リッド
４  導光部材
４ｃ  導入光部
５  フィニッシャ
５１  開口
８  軸支ピン
９ａ  光源保持部材
９ｂ  アーム
１０  光源
１１  付勢手段
１２  収納部
【図１】
0005626831.tif 000002
【図２】
0005626831.tif 000003
【図３】
0005626831.tif 000004
【図４】
0005626831.tif 000005
【図５】
0005626831.tif 000006